(57)【要約】【課題】ウエットティッシュ、特にポップアップされたウエットティッシュの乾燥や変色等の変質を防ぐことができるウエットティッシュ加温器を提供すること。【解決手段】一のウエットティッシュＷ１の一部を挟み込むように他のウエットティッシュＷ２が折り畳まれて配置されているウエットティッシュ群収容部２００の形成面２０１ａ側に当接して配置され、発熱部１１１と、前記ウエットティッシュ群収容部の取り出し用開口部に対応して形成されるウエットティッシュ用貫通孔１１８と、を有するウエットティッシュ加温器本体１１０と、ウエットティッシュ加温器蓋部１２０を備え、前記ウエットティッシュ加温器蓋部には、蓋側凸部１２１が形成され、この蓋側凸部と前記ウエットティッシュ用貫通孔との間には、前記ウエットティッシュを挟持し配置するための微小間隔ｄが形成されているウエットティッシュ加温器１００。【選択図】　図４
2004041496.tif 000002
【特許請求の範囲】
【請求項１】
一のウエットティッシュの一部を挟み込むように他のウエットティッシュが折り畳まれて配置されている複数のウエットティッシュを収容するウエットティッシュ群収容部の取り出し用開口部の形成面側に当接して配置されるウエットティッシュ加温器であって、
ウエットティッシュを加温するための発熱部と、
前記ウエットティッシュ群収容部の取り出し用開口部に対応して形成されるウエットティッシュ用貫通孔と、を有するウエットティッシュ加温器本体と、
前記ウエットティッシュ用貫通孔を覆うために配置されるウエットティッシュ加温器蓋部を備え、
前記ウエットティッシュ加温器蓋部には、蓋側凸部が形成され、この蓋側凸部と前記ウエットティッシュ用貫通孔との間には、前記ウエットティッシュを挟持し配置するための微小間隔が形成されていることを特徴とするウエットティッシュ加温器。
【請求項２】
前記ウエットティッシュ用貫通孔は、その断面が、このウエットティッシュ用貫通孔が形成されるウエットティッシュ加温器本体の厚み方向において略台形に形成され、
前記ウエットティッシュ用貫通孔は、前記ウエットティッシュ群収容部の取り出し用開口部に当接して配置される側から、その孔が徐々に拡径して形成されていることを特徴とする請求項１に記載のウエットティッシュ加温器。
【請求項３】
前記ウエットティッシュ加温器蓋部の蓋側凸部は、前記ウエットティッシュ用貫通孔と同様に、その厚み方向において、その断面が略台形に形成され、
前記蓋側凸部が、その基部から先端部に向かって徐々に縮径して形成されていることを特徴とする請求項２に記載のウエットティッシュ加温器。
【請求項４】
前記蓋側凸部の先端部は略平面となっており、
この先端部の略平面の部分の形状及び面積が、前記先端部に対応して形成される前記ウエットティッシュ用貫通孔の前記ウエットティッシュ群収容部側の開口の形状及び面積と略同等となっていることを特徴とする請求項３に記載のウエットティッシュ加温器。
【請求項５】
前記ウエットティッシュ加温器蓋部の表面側には、前記蓋側凸部の形状に対応した蓋側凹部が形成されていることを特徴とする請求項１乃至請求項４のいずれかに記載のウエットティッシュ加温器。
【請求項６】
前記ウエットティッシュ加温器蓋部が前記ウエットティッシュ用貫通孔を塞ぐように閉状態に配置された際に、
前記発熱部の上方には、前記ウエットティッシュ加温器蓋部が配置される構成となっていることを特徴とする請求項１乃至請求項５のいずれかに記載のウエットティッシュ加温器
【請求項７】
前記ウエットティッシュ加温器蓋部は、前記ウエットティッシュ加温器本体に対して支持手段によって揺動可能に支持されており、
また、前記ウエットティッシュ加温器蓋部と前記ウエットティッシュ加温器本体とには、前記ウエットティッシュ加温器蓋部を前記ウエットティッシュ加温器本体に係止するための蓋部側係止片と本体側係止片がそれぞれ設けられ、
さらに、これら蓋部側係止片と前記本体側係止片との係止を解除する解除手段が形成され、
前記解除手段は、前記ウエットティッシュ加温器本体に対して揺動可能とされると共に、この解除手段の端部が前記ウエットティッシュ加温器蓋部の下縁部に対して配置される構成となっていることを特徴とする請求項１乃至請求項６のいずれかに記載のウエットティッシュ加温器。
【発明の詳細な説明】
【０００１】
【発明の属する技術分野】
本発明は、複数のウエットティッシュを収容したウエットティッシュ群収容部のウエットティッシュを加温するためのウエットティッシュ加温器に関するものである。
【０００２】
【従来の技術】
例えば、乳幼児に対してウエットティッシュを用いる場合に、ウエットティッシュが冷たいと、その冷たさのため乳幼児がウエットティッシュを嫌がり、乳幼児に対して上手にウエットティッシュを使うことが出来ない場合があった。
このため、ウエットティッシュを温めるためウエットティッシュ用ウォーマーが用いられている。
このウエットティッシュ用ウォーマーは、ウエットティッシュを多数収容するウエットティッシュ詰替容器を、その内部に配置させて加温器で温める構造のものである。
【０００３】
【発明が解決しようとする課題】
このようなウエットティッシュ用ウォーマーは、その加温器で温めて直ぐにウエットティッシュを引き出し使用する場合は、ウエットティッシュが温められており、好適に使用できるものである。
しかし、一度、ウエットティッシュ用ウォーマーを使用すると加熱された状態が一定時間継続し、この状態で、時間が経過した後に、再度、ウエットティッシュを引き出して使用する場合等では、ウエットティッシュがウエットティッシュ用ウォーマーで加熱されると共に乾燥され易くなる。
特に、僅かに引き出された状態にある一枚目が乾燥した状態になりやすく、更に加熱されるため、変色等の変質が発生しやすいという問題があった。
【０００４】
本発明は、以上の点に鑑み、ウエットティッシュ、特にポップアップされたウエットティッシュの乾燥や変色等の変質を防ぐことができるウエットティッシュ加温器を提供することを目的とする。
【０００５】
【課題を解決するための手段】
前記目的は、請求項１の発明によれば、一のウエットティッシュの一部を挟み込むように他のウエットティッシュが折り畳まれて配置されている複数のウエットティッシュを収容するウエットティッシュ群収容部の取り出し用開口部の形成面側に当接して配置されるウエットティッシュ加温器であって、ウエットティッシュを加温するための発熱部と、前記ウエットティッシュ群収容部の取り出し用開口部に対応して形成されるウエットティッシュ用貫通孔と、を有するウエットティッシュ加温器本体と、前記ウエットティッシュ用貫通孔を覆うために配置されるウエットティッシュ加温器蓋部を備え、前記ウエットティッシュ加温器蓋部には、蓋側凸部が形成され、この蓋側凸部と前記ウエットティッシュ用貫通孔との間には、前記ウエットティッシュを挟持し配置するための微小間隔が形成されていることを特徴とするウエットティッシュ加温器により達成される。
【０００６】
請求項１の構成によれば、本発明のウエットティッシュ加温器が当接して配置されるのは、前記ウエットティッシュ群収容部であり、このウエットティッシュ群収容部が収容しているウエットティッシュは、一のウエットティッシュの一部を挟み込むように他のウエットティッシュが折り畳まれて配置されている。
このため、前記ウエットティッシュ群収容部内の一のウエットティッシュを前記取り出し用開口部から利用者が引き出すと、この一のウエットティッシュの一部が他のウエットティッシュにより挟み込まれているため、他のウエットティッシュの一部も前記取り出し用開口部から引き出される。
したがって、他のウエットティッシュは利用者が把持し易いように、その一部が前記取り出し用開口部から、突出した状態となる。このように前記ウエットティッシュ群収容部内のすべてウエットティッシュが同様に折り畳まれているため、常に、次に使用するウエットティッシュの一部が前記取り出し用開口部から突出することとなる。このような方式を例えばポップアップ方式という。
【０００７】
また、請求項１では、ウエットティッシュ加温器は前記ウエットティッシュ群収容部の取り出し用開口部の形成面側に当接して配置され、このウエットティッシュ加温器は、ウエットティッシュ加温器本体とウエットティッシュ加温器蓋部とを有している。
そして、前記ウエットティッシュ加温器本体は、ウエットティッシュを加温するための発熱部と、前記ウエットティッシュ群収容部の取り出し用開口部に対応して形成されるウエットティッシュ用貫通孔と、を有する。
また、前記ウエットティッシュ加温器蓋部は、前記ウエットティッシュ用貫通孔を覆うために配置されている。
したがって、前記発熱部を有する前記ウエットティッシュ加温器本体を前記ウエットティッシュ群収容部の取り出し用開口部の形成面側に当接することで、直近の使用にかかる複数のウエットティッシュのみを効果的に温めることができる。
【０００８】
また、前記ウエットティッシュ加温器本体には前記ウエットティッシュ用貫通孔を有するので、上述のように温めたウエットティッシュをこの貫通孔を介して利用者が容易に取り出すことができる。
そして、このウエットティッシュ用貫通孔を覆うためにウエットティッシュ加温器蓋部が形成されているので、非使用時には、このウエットティッシュ加温器蓋部により前記ウエットティッシュ用貫通孔を閉状態にでき、ウエットティッシュ群収容部内のウエットティッシュの乾燥等を防止することができる。
【０００９】
さらに、請求項１では、前記ウエットティッシュ加温器蓋部には、蓋側凸部が形成され、この蓋側凸部と前記ウエットティッシュ用貫通孔との間には、前記ウエットティッシュを挟持し配置するための微小間隔が形成されている。
したがって、上述のように前記ウエットティッシュ加温器蓋部で前記ウエットティッシュ用貫通孔を閉状態とした場合、上述のポップアップされて、次に使用のために突出しているウエットティッシュが、この微小空間内に配置される構成となっている。
このため、この微小空間が前記ウエットティッシュで埋められ、密閉性が高まり、ウエットティッシュと空気との接触面積が減少することとなる。そして、この状態を維持して、後の使用時まで放置されることとなるため、特に一枚目のウエットティッシュの乾燥が防止され、ひいては、ウエットティッシュの変色等の変質を防ぐことができる構成となっている。
【００１０】
好ましくは、請求項２の発明によれば、請求項１の構成において、前記ウエットティッシュ用貫通孔は、その断面が、このウエットティッシュ用貫通孔が形成されるウエットティッシュ加温器本体の厚み方向において略台形に形成され、　前記ウエットティッシュ用貫通孔は、前記ウエットティッシュ群収容部の取り出し用開口部に当接して配置される側から、その孔が徐々に拡径して形成されていることを特徴とするウエットティッシュ加温器である。
【００１１】
請求項２の構成によれば、前記ウエットティッシュ用貫通孔は、その断面が、このウエットティッシュ用貫通孔が形成されるウエットティッシュ加温器本体の厚み方向において略台形に形成され、前記ウエットティッシュ用貫通孔は、前記ウエットティッシュ群収容部の取り出し用開口部に当接して配置される側から、その孔が徐々に拡径して形成されている。
したがって、前記ウエットティッシュ用貫通孔には、前記厚み方向に傾斜面が形成され、この傾斜面は前記ウエットティッシュ群収容部の取り出し開口部の周囲に対して形成される。
【００１２】
このため、前記取り出し開口部から取り出されるウエットティッシュがこの取り出し開口部に対して角度を持って引き出されても、この傾斜によって案内され、ウエットティッシュが途中で引っ掛かること等がなく、利用者はスムーズにウエットティッシュを引き出すことができる。
また、この傾斜面は前記取り出し開口部の周囲に形成されているので、利用者は前記取り出し開口部の周囲のどの方向からウエットティッシュを角度を持って引き出しても、スムーズに引き出すことができる。
【００１３】
好ましくは、請求項３の発明によれば、請求項２の構成において、前記ウエットティッシュ加温器蓋部の蓋側凸部は、前記ウエットティッシュ用貫通孔と同様に、その厚み方向において、その断面が略台形に形成され、前記蓋側凸部が、その基部から先端部に向かって徐々に縮径して形成されていることを特徴とするウエットティッシュ加温器である。
【００１４】
請求項３の構成によれば、前記ウエットティッシュ加温器蓋部の蓋側凸部は、前記ウエットティッシュ用貫通孔と同様に、その厚み方向において、その断面が略台形に形成され、前記蓋側凸部が、その基部から先端部に向かって徐々に縮径して形成されている。
したがって、前記蓋側凸部は前記ウエットティッシュ用貫通孔の形状に沿って近接して配置させ易く、前記ウエットティッシュ加温器蓋部の開閉を阻害することなく、前記微小空間を形成し易い構成となっている。
【００１５】
好ましくは、請求項４の発明によれば、請求項３の構成において、前記蓋側凸部の先端部は略平面となっており、この先端部の略平面の部分の形状及び面積が、前記先端部に対応して形成される前記ウエットティッシュ用貫通孔の前記ウエットティッシュ群収容部側の開口の形状及び面積と略同等となっていることを特徴とするウエットティッシュ加温器である。
【００１６】
請求項４の構成によれば、前記蓋側凸部の先端部は略平面となっており、この先端部の略平面の部分の形状及び面積が、前記先端部に対応して形成される前記ウエットティッシュ用貫通孔の前記ウエットティッシュ群収容部側の開口の形状及び面積と略同等となっている。
したがって、前記ウエットティッシュ用貫通孔の前記ウエットティッシュ群収容部側の開口に対して近接して前記蓋側凸部の先端部を配置することができる。このため、前記微小空間には突出したウエットティッシュが配置されると共に、前記ウエットティッシュ用貫通孔に対して前記先端部も蓋として機能するため、ウエットティッシュ群収容部内のウエットティッシュや突出したウエットティッシュと空気との接触を減らすことができ、薬液等の蒸発を抑えることが可能となっている。
【００１７】
好ましくは、請求項５の発明によれば、請求項１乃至請求項４のいずれかの構成において、前記ウエットティッシュ加温器蓋部の表面側には、前記蓋側凸部の形状に対応した蓋側凹部が形成されていることを特徴とするウエットティッシュ加温器。
【００１８】
請求項５の構成によれば、前記ウエットティッシュ加温器蓋部の表面側には、前記蓋側凸部の形状に対応した蓋側凹部が形成されている。
したがって、前記ウエットティッシュ加温器蓋部を倒して、前記ウエットティッシュ用貫通孔を閉状態にし、利用者がウエットティッシュ加温器を持ち運ぶ際に、前記蓋側凹部は、利用者の指掛かりとして機能するので、利用者がウエットティッシュ加温器を持ち運びやすくなる。
【００１９】
好ましくは、請求項６の発明によれば、請求項１乃至請求項５のいずれかの構成において、前記ウエットティッシュ加温器蓋部が前記ウエットティッシュ用貫通孔を塞ぐように閉状態に配置された際に、前記発熱部の上方には、前記ウエットティッシュ加温器蓋部が配置される構成となっていることを特徴とするウエットティッシュ加温器である。
【００２０】
請求項６の構成によれば、前記発熱部の上方には、前記ウエットティッシュ加温器本体を介して、前記ウエットティッシュ加温器蓋部が配置される構成となっているので、利用者がウエットティッシュ加温器に触れた際でも、最も高熱となる前記発熱部の上には前記ウエットティッシュ加温器蓋部が配置されるので、このウエットティッシュ加温器蓋部と前記ウエットティッシュ加温器本体との隙間や、ウエットティッシュ加温器蓋部が断熱効果を発揮し、利用者に著しい熱さを感じさせない構成となっている。
【００２１】
好ましくは、請求項７の発明によれば、請求項１乃至請求項６のいずれかの構成において、前記ウエットティッシュ加温器蓋部は、前記ウエットティッシュ加温器本体に対して支持手段によって揺動可能に支持されており、また、前記ウエットティッシュ加温器蓋部と前記ウエットティッシュ加温器本体とには、前記ウエットティッシュ加温器蓋部を前記ウエットティッシュ加温器本体に係止するための蓋部側係止片と本体側係止片がそれぞれ設けられ、さらに、これら蓋部側係止片と前記本体側係止片との係止を解除する解除手段が形成され、前記解除手段は、前記ウエットティッシュ加温器本体に対して揺動可能とされると共に、この解除手段の端部が前記ウエットティッシュ加温器蓋部の下縁部に対して配置される構成となっていることを特徴とするウエットティッシュ加温器である。
【００２２】
請求項７の構成によれば、前記ウエットティッシュ加温器蓋部は、前記ウエットティッシュ加温器本体に対して支持手段によって揺動可能に支持される構成となっており、前記ウエットティッシュ加温器蓋部と前記ウエットティッシュ加温器本体とには、前記ウエットティッシュ加温器蓋部を前記ウエットティッシュ加温器本体に係止するための蓋部側係止片と本体側係止片がそれぞれ設けられ、これら蓋部側係止片と前記本体側係止片との係止を解除する解除手段が形成されている。
【００２３】
したがって、利用者は前記蓋部側係止片と前記本体側係止片とを係止させることで、容易に前記ウエットティッシュ加温器蓋部を前記ウエットティッシュ加温器本体に対して閉状態に保持させることができる。
また、請求項７の構成によれば、前記解除手段は、前記ウエットティッシュ加温器本体に対して揺動可能とされると共に、この解除手段の端部が前記ウエットティッシュ加温器蓋部の下縁部に対して配置される構成となっている。
したがって、逆に前記ウエットティッシュ加温器蓋部を開状態にする場合は、前記解除手段を操作することで、前記ウエットティッシュ加温器蓋部の下縁部が解除手段の端部によって持ち上げられ、前記蓋部側係止片と前記本体側係止片との係止状態が解除されて開くことができる状態となる。
このように、利用者は確実にウエットティッシュ加温器蓋部を閉止されると共に、前記解除手段を操作することにより容易に前記ウエットティッシュ加温器蓋部を開けることができる。
【００２４】
【発明の実施の形態】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２５】
（実施の形態の構成の概略等について）
図１は、本発明の実施の形態に係るウエットティッシュ加温器である例えばナップウォーマー１００の構成を示す概略斜視図である。図２はウエットティッシュ群収容部であるウエットティッシュ詰替容器２００の構成を示す概略斜視図である。図３は、図２の詰替容器２００の内部構成を示すＩ−Ｉ’線概略断面図である。
ナップウォーマー１００が用いられるウエットティッシュ詰替容器２００は、例えば図２に示すように構成されている。
ウエットティッシュ詰替容器２００は、図３に示すようにポリエチレンフィルムやアルミ等からなる変形可能な容器体２０１を有し、この容器体２０１内には、例えばウエットティッシュＷ１乃至Ｗ４が折り畳まれて配置されている。これらウエットティッシュＷ１等は、通常５０枚から１００枚程度収納されている。
【００２６】
また、ウエットティッシュＷ１等は、不織布等に防腐剤、保湿剤、保湿可溶化剤、安定化剤、界面活性剤及び溶剤等の薬液を含浸させたものである。
【００２７】
薬液が含浸されているウエットティッシュＷ１等は、図３に示すように、一のウエットティッシュＷ１の一部である端部を挟み込むように他のウエットティッシュＷ２が折り畳まれて配置されている。そして、同様にウエットティッシュＷ２の端部をウエットティッシュＷ３が挟み込むように折り畳まれ、ウエットティッシュＷ３の端部をウエットティッシュＷ４が挟み込むように折り畳まれている。
図３では説明の都合上、４枚のウエットティッシュを示しているが、このようなウエットティッシュが上述のように５０枚から１００枚程度、同様に折り畳まれて配置されている。
このような折り畳み方を例えばＺ折りといい、このようにＺ折りで折り畳まれたウエットティッシュＷ１等をポップアップ方式ともいう。
ポップアップ方式には、Ｚ折りだけでなく、ウエットティッシュを２つに折るＶ折りやＺ折りとＶ折りを混合させたもの等も含まれる。
【００２８】
このように複数のウエットティッシュＷ１等を収容する容器体２０１には、ウエットティッシュＷ１等を取り出すための取り出し用開口部２１０が形成されている。
そして、この取り出し用開口部２１０を覆うように詰替容器蓋２０２が配置されている。
この詰替容器蓋２０２には、図２に示すように突片２０２ａが形成され、この突片２０２ａを利用者が把持して操作することで詰替容器蓋２０２が剥がされ、取り出し用開口部２１０が露出するようになっている。
【００２９】
このような取り出し用開口部２１０が形成されている取り出し用開口部の形成面である図２の開口部形成面２０１ａに図１のナップウォーマー本体１１０が当接して配置される構成となっている。
【００３０】
図４は、図１のナップウォーマー本体１１０及びナップウォーマー蓋部１２０の構造を示す概略断面図である。具体的には図１２のナップウォーマー蓋部１２０とナップウォーマー本体１１０のＧ−Ｇ’線概略断面図である。
図４に示すようにナップウォーマー本体１１０の内部には、発熱部であるヒータ１１１が例えば２個配置されている。
ヒータ１１１は、ウエットティッシュＷ１等を加温するためのものであって、例えばセラミックヒータであるＰＴＣヒータ等である。
図５は、図４のヒータ１１１等の構成を示した概略図である。図５に示すように、アルミプレート１１３の上に、電極に挟まれるようにしてヒータ１１１が配置され、その上にスペーサ１１２とワッシャーを介してネジが配置されている。
【００３１】
図６は、図４のヒータ１１１の電気的構成を示す概略回路図である。図６に示すように２個のヒータ１１１は、図１に示す電源プラグ１１６から電力が供給され、動作電圧が９０Ｖ乃至１１０Ｖで、消費電流が約１．５Ａ（最大供給時）で発熱するよう構成されている。
また、図６に示すように、温度ヒューズ１１７を有するので万一、ヒータ１１１が異常に加熱された場合や過電流が発生した場合で、１０５℃、２Ａとなったら電力供給が遮断される。
なお、温度ヒューズ１１７の代わりに電流ヒューズやサーモスタット等を使用しても良い。
【００３２】
図７は、図４のナップウォーマー本体１１０の概略平面図である。
図４及び図７に示すように、ナップウォーマー本体１１０の中心部には、ウエットティッシュ用貫通孔１１８が形成されている。このウエットティッシュ用貫通孔１１８は、図４に示すように、例えば正楕円形の開口部１１８ａを有している。この開口部１１８ａは、図２に示すウエットティッシュ詰替容器２００の取り出し用開口部２１０の形状である例えば正楕円形と対応する形状となっている。
したがって、ウエットティッシュ詰替容器２００の取り出し用開口部２１０がナップウォーマー本体１１０のウエットティッシュ用貫通孔１１８と対応して配置できる構成となっている。
【００３３】
また、ウエットティッシュ用貫通孔１１８は、この開口部１１８ａの図４における上方に向かって、すなわち、ナップウォーマー本体１１０の厚み方向において、その断面が略台形である傾斜面１１８ｂ（図４及び図７参照）を有している。
このため、図４の開口部１１８ａから、図において上方に向かって、その孔が徐々に拡径して形成される構成となっている。
【００３４】
このようなナップウォーマー本体１１０のウエットティッシュ用貫通孔１１８を覆うために、図１及び図４に示すようにナップウォーマー蓋部１２０が設けられている。
図８は、ナップウォーマー蓋部１２０の構成を示す概略斜視図である。
このナップウォーマー蓋部１２０には、図４及び図８に示すように蓋側凸部１２１が形成されている。
この蓋側凸部１２１は図４及び図８に示すように、前記ウエットティッシュ用貫通孔１１８と同様に、その厚み方向において、その断面が略台形に形成され、蓋側凸部１２１がその基部から先端部に向かって徐々に縮径して形成されている。
【００３５】
すなわち、図４及び図８に示すように、蓋側凸部１２１の側面には蓋側傾斜面１２１ｂが形成されている。
また、図８に示すように、蓋側凸部１２１の先端部の上面は略平面の先端部１２１ａとなっている。この先端部１２１ａの形状及び面積が、前記ウエットティッシュ用貫通孔１１８の開口部１１８ａの形状及び面積と同等、具体的には双方とも正楕円形でほぼ同じ面積となっている。
【００３６】
そして、図４に示すように、ナップウォーマー本体１１０にナップウォーマー蓋部１２０を閉状態になるように配置した場合、蓋側凸部１２１の蓋側傾斜面１２１ｂとウエットティッシュ用貫通孔１１８の傾斜面１１８ｂとの間には、図９に示すように微小空間ｄが形成される構成となっている。
図９は図４の矢印Ｄの部分の概略拡大図である。
この微小空間は、例えば約０．５ｍｍ乃至約２．０ｍｍとなっている。
この微小空間ｄは、ウエットティッシュＷ１等を挟持して配置するための空間となっている。
【００３７】
以上のように、本実施の形態のナップウォーマー１００のナップウォーマー本体１１０が当接して配置されるのは、ウエットティッシュ詰替容器２００である。そして、ウエットティッシュ詰替容器２００が収容しているウエットティッシュＷ１等は、図３に示すように、ウエットティッシュＷ１の端部を挟み込むようにウエットティッシュＷ２が折り畳まれて配置されている。
このため、ウエットティッシュ詰替容器２００内のウエットティッシュＷ１を図２に示す取り出し用開口部２１０から利用者が引き出すと、ウエットティッシュＷ１の端部がウエットティッシュＷ２により挟み込まれているため、ウエットティッシュＷ２の一部も取り出し用開口部２１０から引き出される。
【００３８】
したがって、ウエットティッシュＷ２は利用者が把持しやすいように、その一部が図３に示すように取り出し用開口部２１０から突出した状態となる。
このようにウエットティッシュ詰替容器２００内に収容されたすべてのウエットティッシュＷ１等が同様に折り畳まれているため、常に次に使用するウエットティッシュＷ２等の一部が取り出し用開口部２１０から突出することになる。
このような方式を上述のように例えばポップアップ方式という。
【００３９】
また、本実施の形態では、ナップウォーマー１００は、ウエットティッシュ詰替容器２００の図２に示す開口部形成面２０１ａ側に当接して配置され、ナップウォーマー１００は、ナップウォーマー本体１１０とナップウォーマー蓋部１２０とを有している。
そして、ナップウォーマー本体１１０は、ヒータ１１１と取り出し用開口部２１０に対応して形成されるウエットティッシュ用貫通孔１１８とを有している。このヒータ１１１には、図４に示すように、図において下方に伝熱板としてアルミプレート１１３が配置され、更にポリプロピレン（ＰＰ）製の下面筐体１１４が配置されている。
したがって、ヒータ１１１の熱はアルミプレート１１３に伝わり、その後下面筐体１１４を介してウエットティッシュ詰替容器２００に伝わる構成となっている。
【００４０】
このため、ヒータ１１１を有するナップウォーマー本体１１０をウエットティッシュ詰替容器２００の開口部形成面２０１ａ側に当接することで、直近の使用、すなわち優先順位の高い複数のウエットティッシュＷ１等のみ、例えば最も上に位置するウエットティッシュから５枚分程度を効果的に温めることができる。このとき、ウエットティッシュ詰替容器２００の上から５枚乃至１０枚程度のウエットティッシュしか、加温されないため、加熱温度の影響が低減され、加温に伴う乾燥や変色等の変質を抑制することができる。
【００４１】
また、ナップウォーマー本体１１０にはウエットティッシュ用貫通孔１１８を有するので、上述の加温されたウエットティッシュＷ１等を、この貫通孔を介して利用者が容易に取り出すことができる。
【００４２】
さらに、ナップウォーマー蓋部１２０は、ウエットティッシュ用貫通孔１１８を覆うために配置されているので、ナップウォーマー１００の非使用時には、ウエットティッシュ蓋部１２０によりウエットティッシュ用貫通孔１１８を閉状態にすることができ、ウエットティッシュ詰替容器２００内のウエットティッシュＷ１等の乾燥等を防止することができる。
【００４３】
そして、本実施の形態では、ナップウォーマー蓋部１２０には蓋側凸部１２１が形成され、この蓋側凸部１２１とウエットティッシュ用貫通孔１１８との間には、ウエットティッシュＷ２等を挟持し配置するための微小間隔ｄが形成されている（図９参照）。
したがって、ナップウォーマー蓋部１２０でウエットティッシュ用貫通孔１１８を上述のように閉状態とした場合、次の使用のために突出しているウエットティッシュＷ１等が、この微小空間ｄ内に配置される構成となっている。
このため、この微小空間ｄがウエットティッシュＷ１等の突出部分で埋められ、密閉性が高まり、ウエットティッシュＷ２等と空気との接触面積が減少することとなる。
そして、これによりウエットティッシュＷ１等の表面から乾燥することが防止され、ひいてはウエットティッシュＷ２等の変色等の変質を防ぐことができる構成となっている。
【００４４】
また、図４に示すように、ウエットティッシュ用貫通孔１１８には、傾斜面１１８ｂが形成され、この傾斜面１１８ｂは、ナップウォーマー１００をウエットティッシュ詰替容器２００に対して配置したときに、取り出し用開口部２１０の周囲に対して形成される。
このため、図３に示す取り出し用開口部２１０から、ウエットティッシュ用貫通孔１１８を介して取り出されるウエットティッシュＷ１等が、この取り出し用開口部２１０に対して角度をもって引き出された場合、例えば、図４の矢印Ｅで示すθが４５°の角度を持って引き出された場合でも、この傾斜面１１８ｂによってウエットティッシュＷ１等は案内され、ウエットティッシュＷ１等が途中で引っ掛かることがなく、利用者はスムーズにウエットティッシュＷ１等を引き出すことができる。
また、傾斜面１１８ｂは、取り出し用開口部２１０の周囲に形成されているので、利用者は取り出し用開口部２１０の、どの方向からウエットティッシュＷ１等を例えば４５°の角度を持って引き出しても、引っ掛かることなくスムーズに引き出すことができる。
【００４５】
一方、図４及び図７に示すように、ナップウォーマー蓋部１２０の蓋側凸部１２１は、ウエットティッシュ用貫通孔１１８の形状に対応するように、その厚み方向において、その断面が略台形に形成され、その基部（図４において上部）から先端部１２１ａに向かって徐々に縮径して形成されている。
したがって、ナップウォーマー蓋部１２０の開閉を妨げることない構成となっている。更に、蓋側凸部１２１には、蓋側傾斜面１２１ｂが形成され、ウエットティッシュ用貫通孔１１８の傾斜面１１８ｂに沿って近接して配置させ易く、微小空間ｄを形成し易い構成となっている。
【００４６】
また、図４及び図８に示す蓋側凸部１２１の先端部１２１ａの上面は略正楕円形の略平面となっている。そして、ウエットティッシュ用貫通孔１１８の開口部１１８ａと略同等の形状及び面積とされ、更に図２に示すようにウエットティッシュ詰替容器２００の取り出し用開口部２１０の形状も略正楕円形で、その面積は先端部１２１ａと略同等となっている。
したがって、ウエットティッシュ詰替容器２００の取り出し用開口部２１０に対して、近接して蓋側凸部１２１の先端部１２１ａを配置することができる。
このため、先端部１２１ａとウエットティッシュ詰替容器２００内のウエットティッシュＷ１等との隙間を減らすことができる。
すなわち、図１５に示すようにウエットティッシュＷ１が配置される。
そして、このように空間を減らすことで、突出しているウエットティッシュＷ１等の一部が、よりこの空間内に埋められ、密閉性が高まり、空気との接触を減らすことができるので、ウエットティッシュＷ１等の薬液等の蒸発を抑えることが可能となっている。
図１０は、図４の矢印Ｊの部分の概略拡大図である。
図１０及び図８に示すように蓋側凸部１２１の基部における外周には密閉リブ１２６が設けられている。この密閉リブ１２６は、図８に示すナップウォーマー本体１１０の天面１１０ｆに接触する（図１０参照）ように形成されている。
このため、微小空間ｄに、図１５に示すように配置されたウエットティッシュＷ１の上端側から薬液等が蒸発することを、この密閉リブ１２６が防いでいる。
【００４７】
（本実施の形態のその他の構成等について）
図１に示すようにナップウォーマー蓋部１２０の表面側には、蓋側凸部１２１に対応した形状、すなわち、その断面が略台形の形状に蓋側凹部１２２が形成されている。
したがって、ナップウォーマー蓋部１２０を倒してウエットティッシュ用貫通孔１１８を閉状態にし、利用者がナップウォーマー１００を持ち運ぶ際に、蓋側凹部１２２は、利用者の指掛かりとして機能するので、利用者がナップウォーマー１００を持ち運び易くなる。
【００４８】
また、本実施の形態では、図４に示すナップウォーマー蓋部１２０が、ナップウォーマー本体１１０のウエットティッシュ用貫通孔１１８を塞ぐように閉状態に配置された際に、ヒータ１１１の図において上には断熱材１１５と筐体、更にナップウォーマー本体１１０との隙間を介してナップウォーマー蓋部１２０が配置される構成となっている。
したがって、利用者がナップウォーマー蓋部１２０に触れた場合でも、最も高熱となるヒータ１１１の上には、断熱材１１５とナップウォーマー蓋部１２０等が配置されるので、このナップウォーマー蓋部１２０と断熱材１１５等が断熱効果を発揮する。
このため、最も高熱となるヒータ１１１の上方であるナップウォーマー蓋部１２０に触れても、著しい熱さを感じさせない構成となっている。
【００４９】
さらに、ナップウォーマー蓋部１２０は、図１に示すように、ナップウォーマー本体１１０に対して支持手段によって揺動可能に支持されている。
すなわち、ナップウォーマー蓋部１２０に形成されている係合凸部と、この係合凸部に対応してナップウォーマー本体１１０に形成されてる係合凹部との係合によって支持手段が構成されている。
図１１はナップウォーマー蓋部１２０に形成された係合凸部１２３ａ、１２３ｂを示した概略図である。
図１１に示された係合凸部１２３ａ、１２３ｂは、図１に示すようにナップウォーマー本体１１０に係合される。このとき、ナップウォーマー本体１１０には、図示しない係合凹部が係合凸部１２３ａ、１２３ｂに対応して形成されている。
【００５０】
また、ナップウォーマー蓋部１２０は、付勢手段により、ナップウォーマー本体１１０から離間する方向に付勢力が与えられる構成としても良い。
すなわち、付勢手段として、例えばトーションスプリング等がナップウォーマー蓋部１２０の揺動軸の近傍に配置され、このトーションスプリングで付勢力が生じるようになっている。
【００５１】
また、ナップウォーマー蓋部１２０とナップウォーマー本体１１０とには、ナップウォーマー蓋部１２０をナップウォーマー本体１１０に係止するための蓋部側係止片と本体側係止片とがそれぞれ設けられている。
図１２は、図１４で示すナップウォーマー蓋部１２０とナップウォーマー本体１１０のＦ−Ｆ’線の概略断面図である。図１３は図１２のＨで示した部分の概略拡大図である。
前記蓋部側係止片や前記本体側係止片は、具体的には、図１３に示すように、ナップウォーマー蓋部１２０の先端における内側（図中右方向）に突出して形成されている蓋側係止片１２４や、ナップウォーマー本体１１０から外側（図中左方向）に突出した瘤状に形成される本体側係止片１１９となっている。
【００５２】
このような蓋側係止片１２４や本体側係止片１１９との係止を解除する解除手段である開放ボタン１５０がナップウォーマー本体１１０に対して揺動可能に図１２及び図１３に示すように形成されている。
【００５３】
このように構成されているため、利用者は蓋側係止片１２４と本体側係止片１１９とを係止させることで、容易にナップウォーマー蓋部１２０をナップウォーマー本体１１０に対して閉状態に保持させることができる。
具体的には、図１１に示すように蓋側係止片１２４が本体側係止片１１９を乗り越えて図において本体側係止片１２４の下方に位置することで係止されることになる。
【００５４】
逆に、ナップウォーマー蓋部１２０を開状態にするには、図１２及び図１３に示す開放ボタン１５０を操作することで、蓋側係止片１２４と本体側係止片１１９との係止状態が解除されることになる。
具体的には、開放ボタン１５０を押すことで、図１３の矢印の方向に、解除手段の端部である開放ボタン１５０の先端部側が上方に持ち上げられる。そして、開放ボタン１５０の先端部がナップウォーマー蓋部１２０の下縁部である蓋側係止片１２４の下側に配置されている。このため、蓋側係止片１２４と本体側係止片１１９との係止を強制的に解除することができる構成となっている。
また、付勢手段を設けた場合には、このように解除されたナップウォーマー蓋部１２０は、上述のトーションスプリングの付勢力によってナップウォーマー本体１１０から離間する方向に揺動し、開状態となる（図１参照）。
【００５５】
（連結バンド部１４０等について）
本実施の形態のナップウォーマー１００には、図１に示すように連結バンド部１４０と、この連結バンド部１４０で接続されているナップウォーマー下板部１３０等を備えている。
連結バンド部１４０は柔軟性を有するバンド本体１４２と、このバンド本体１４２の長さを調節するための操作用リング１４１等を有している。
図１４は、ナップウォーマー１００にウエットティッシュ詰替容器２００を装着した状態を示す概略斜視図であり、図１５は、図１４のＦ−Ｆ’線の概略断面図である。
図１５に示すように、ナップウォーマー本体１１０には、バンド本体１４２の一方が固定され、他方側にバンド本体１４２を保持させるバンドフック１１０ａを有すると共に、このバンドフック１１０ａに配置されたバンド本体１４２をハンドフック１１０ａとの間に挟み込んで、バンド本体１１０ａが移動しずらいようにするバンドストッパ１１０ｂとを有している。バンドフック１１０ａはナップウォーマー本体１１０と一体に形成されている。
【００５６】
図１６はバンドストッパの構成を示した概略斜視図である。図１６に示すバンドストッパ１１０ｂはＥＶＡ、シリコーンゴム等から成っており、内部に中空の部分が形成されている。
このようの柔軟性に富む材質からなり、さらに内部に中空部分が形成されているので、ハンドストッパ１１０ｂはより柔軟性に富む構成となっている。
また、摩擦力を発生させやすい材質ともなっている。したがって、図１５のようにバンド本体１４２をバンドフック１１０ａとバンドストッパ１１０ｂとで挟み込むことで、バンド本体１４２が容易に移動しずらいよう仮固定することができる構成となっている。
したがって、ウエットティッシュ詰替容器２００の厚みの変化に対応して、利用者が操作用リング１４１を操作して、最適な挟持力になるようバンド本体１４２の長さを調整できると共に、一旦、調整した位置でバンド本体１４２が仮固定される。
このため、ウエットティッシュＷ１等の使用に伴い、ウエットティッシュ詰替容器２００が薄くなっても、バンド本体１４２の長さを調整することができる。更に、若干の厚みの変化に対してはバンド本体１４２の弾性により、ナップウォーマー本体１１０のヒータ１１１の熱を適切にウエットティッシュ詰替容器２００の伝えることができる構成となっている。
【００５７】
また、図１５に示すように、バンド本体１４２は、ナップウォーマー下板部の内側に配置されているため、バンド本体１４２が汚れにくい構成となっている。さらに、ナップウォーマー下板部１３０の外形寸法はナップウォーマー本体１１０の外形寸法より例えば５ｍｍ程度小さく形成されている。
一方、ナップウォーマー本体１１０には、図１５に示すように裾部１１０ｃが下方に突出して形成されている。
したがって、非使用時で、ウエットティッシュ詰替容器２００を装着していないナップウォーマー１００は、ナップウォーマー下板部１３０をナップウォーマー本体１１０の裾部１１０ｃ内に収容できる構成となっている。
このため、利用者がナップウォーマー１００はコンパクトになり、持ち運び易くなる。
【００５８】
図１７は、図１５のナップウォーマー下板部１３０の構成を示す概略斜視図である。
図１７に示すナップウォーマー下板部１３０を設けることで、連結バンド部１４０の長さを調整しても、ウエットティッシュ詰替容器２００が傾かず、均等に精度良くナップウォーマー本体１１０に当接されるので、適切な加温がより確実になる構成となっている。
また、ナップウォーマー下板部１３０には、図１７に示すように縦リブ１３１が形成されているので、ナップウォーマー下板部１３０が、成形時や、使用する際に強くバンド本体１４２に引かれても、歪み難い構成となっている。
更に、これに載置されるウエットティッシュ詰替容器２００がナップウォーマー下板部１３０上でズレることがないので正確に保持することができる。
また、ナップウォーマー下板部１３０は図１７に示すように外周方向に突出した横リブ１３２や中央に中央凸部１３３を有するため、さらに歪み難く、しっかりウエットティッシュ詰替容器２００を保持できる構成となっている。
【００５９】
（その他の構成等について）
また、図４及び図８に示すように、ナップウォーマー本体１１０には、ナップウォーマー蓋部１２０の外形に沿って突出している外形リブ１２５を収容するための溝部１１０ｄが形成されており、更に密閉性が高められている。
また、この溝部１１０ｄは図４に示すように外形リブ１２５の肉厚より大きく形成されている。したがって、この溝部１１０ｄの清掃が容易となりナップウォーマー１００を清潔に維持することができる。
【００６０】
また、図６及び図１４に示すようにナップウォーマー本体１１０にはヒータ１１１に通電されていることを示す通電ランプ１１０ｅが形成されているので、利用者は容易に通電状態を把握することができる。
【００６１】
本実施の形態のナップウォーマー１００は以上のように構成されているが、以下、その動作等を使用方法と共に説明する。
先ず、利用者は、図２に示すようなウエットティッシュ詰替容器２００の詰替容器蓋２０２を突片２０２ａを持ち引き剥がし、取り出し用開口部２１０を露出させる。
次に、図１に示すバンド本体１４２を持ってベルトの長さをウエットティッシュ詰替容器２００が入るように調整する。
そして、ウエットティッシュ詰替容器２００をナップウォーマー下板部１３０上に載置し、図１４に示すようにナップウォーマー本体１１０とナップウォーマー下板部１３０で挟むように配置する。このときウエットティッシュ詰替容器２００の開口部形成面２０１ａが（図２参照）、ナップウォーマー本体１１０の下面筐体１１４に当接していないときは、図１５の操作用リング１４１を引くことで容易に当接させることができる。
また、バンド本体１４２は、弾性を有するので伸縮するため多少強めに当接させてもゴムの伸長で適切な当接に調整することができる。また、このように多少強めに当接させることができるので、後述するベルト本体１４２の締め直しの回数を減らすことができる。
【００６２】
次に、図１の電源プラグをコンセントに差し込むことで電力がヒータ１１１に供給され、同時に図１４の通電ランプ１１０ｅが点灯する。
ヒータ１１１は１０５℃まで上昇すると図６に示すように温度ヒューズ１１７で遮断されるので、ヒータ１１１が加熱されすぎるのを防いでいる。
ヒータ１１１は６０℃±１０℃で動作するように制御される。
ヒータ１１１が発熱すると、その熱は、図４に示すように伝熱板であるアルミプレート１１３から下面筐体１１４を介して、この下面筐体１１４に当接して配置されているウエットティッシュ詰替容器２００の開口部形成面２０１に伝わり、ウエットティッシュ詰替容器２００内のウエットティッシュＷ１等に伝わる。このとき、ウエットティッシュＷ１等は、最も上に位置するウエットティッシュＷ１が約６０℃となり、上から５枚目のウエットティッシュＷ５は約５０℃、上から１０枚目で約４５℃となる。
【００６３】
次に、ウエットティッシュＷ１を使用する場合は、利用者は図１２の開放ボタン１５０を操作し、蓋側係止片１２４と本体側係止片１１９との係止を解除し、ナップウォーマー蓋部１２０を開く。
次に、利用者が図３に示すウエットティッシュＷ１を引き出して使用する。このウエットティッシュＷ１の温度は使用に適した温度となるので心地よく、特に乳幼児等が機嫌を損ねることがない。
このようにウエットティッシュＷ１が引き出されると、図３に示す次にウエットティッシュＷ２は、上述のポップアップ方式なので一部が突出した状態となる。
【００６４】
ここで、利用者が一旦、ナップウォーマー蓋部１２０を閉めると、この突出したウエットティッシュＷ２の一部は、図４の蓋側凸部１２１の先端部１２１ａとウエットティッシュ詰替容器２００の取り出し用開口部２１０との間と、微小間隔ｄとに押し込められることなる。
したがって、このナップウォーマー蓋部１２０とナップウォーマー本体１１０とウエットティッシュ詰替容器２００との間に押し込められたウエットティッシュＷ２によって、このウエットティッシュＷ２の表面は、空気との接触面積が減ることになり、乾燥が防げ、ひいては変色等の変質も防ぐことになる。
【００６５】
次に、利用者がナップウォーマー蓋部１２０を開けたときは、上述の適温に温められ乾燥等していないウエットティッシュＷ２を使うことができることになる。
また、利用者がウエットティッシュＷ２等を引き出すとき図４の矢印Ｅのように斜めから角度、例えば４５°で引き出しても、ナップウォーマー本体１１０のウエットティッシュ用貫通孔１１８には、傾斜面１１８ｂがあるため、ウエットティッシュＷ２等が途中で引っ掛かることなくスムーズにとり出すことができる。
【００６６】
次に、このようにウエットティッシュＷ２等を使用して、ウエットティッシュ詰替容器２００の厚みがバンド本体１４２の弾性による許容範囲を超えるほど薄くなったときは、ウエットティッシュ詰替容器２００の開口部形成面２０１ａとナップウォーマー本体１１０との当接が不十分になるまたは、離間してしまうので、図１３の操作用リング１４１を操作して再びウエットティッシュ詰替容器２００を適切に当接させる。
図１６は、ウエットティッシュ詰替容器２００のウエットティッシュＷ１等が残り少なくなった状態を示す概略斜視図である。
このように、本実施の形態のナップウォーマー１００は、連結バンド部１４０を操作することで最後のウエットティッシュまで加温し使用することができる。しかも、最後のウエットティッシュまで乾燥や黄変を起こすことがない。
【００６７】
次に、最後のウエットティッシュを使い終わったら、バンド本体１４２を長くして、ナップウォーマー本体１１０とナップウォーマー下板部１３０との間隔を広げて、ウエットティッシュ詰替容器２００を取り外し、新しいウエットティッシュ詰替容器２００を装着することになる。
新しいウエットティッシュ詰替容器２００を装着しない場合は、上述のように外形の大きさが５ｍｍ程度小さく形成されているナップウォーマー下板部１３０を図１３に示すナップウォーマー本体１１０の裾部１１０ｃ内に収めることで、ナップウォーマー１００をコンパクトにすることができ、収納や持ち運びがし易くなっている。
【００６８】
本発明は、上述の各実施の形態に限定されない。例えば図８の蓋側凸部の先端部１２１ａの少なくとも外周に中空のシリコンチューブや発泡等の柔軟なパッキンを配置し、更に乾燥を防ぐように構成してもよい。
同様に、図４及び図９の微小空間ｄに位置するようウエットティッシュ用貫通孔１１８の傾斜面１１８ｂやナップウォーマー蓋部１２０の蓋側傾斜面１２１ｂの一部に周状にパッキンを配置してもよい。
さらに、上述の各実施の形態は、相互に組み合わせて構成するようにしてもよい。
【００６９】
【発明の効果】
以上述べたように、本発明によれば、ウエットティッシュ、特にポップアップされたウエットティッシュの乾燥や変色等の変質を防ぐことができるウエットティッシュ加温器を提供することができる。
【図面の簡単な説明】
【図１】本発明の実施の形態に係るウエットティッシュ加温器である例えばナップウォーマーの構成を示す概略斜視図である。
【図２】ウエットティッシュ群収容部であるウエットティッシュ詰替容器の構成を示す概略斜視図である。
【図３】図２の詰替容器の内部構成を示す概略断面図である。
【図４】図１のナップウォーマー本体及びナップウォーマー蓋部の構造を示す概略断面図である。
【図５】図４のヒータ等の構成を示した概略図である。
【図６】図４のヒータの電気的構成を示す概略回路図である。
【図７】図４のナップウォーマー本体の概略平面図である。
【図８】ナップウォーマー蓋部の構成等を示す概略斜視図である。
【図９】図４の矢印Ｄの部分の概略拡大図である。
【図１０】図４の矢印Ｊの部分の概略拡大図である。
【図１１】ナップウォーマー蓋部に形成された係合凸部を示した概略図である。
【図１２】図１４で示すナップウォーマー蓋部とナップウォーマー本体のＦ−Ｆ’線の概略断面図である。
【図１３】図１２のＨで示した部分の概略拡大図である。
【図１４】ナップウォーマーにウエットティッシュ詰替容器を装着した状態を示す概略斜視図である。
【図１５】図１４のＦ−Ｆ’線の概略断面図である。
【図１６】バンドストッパの構成を示した概略斜視図である。
【図１７】図１５のナップウォーマー下板部の構成を示す概略斜視図である。
【図１８】ウエットティッシュ詰替容器のウエットティッシュが残り少なくなった状態を示す概略斜視図である。
【符号の説明】
１００・・・ナップウォーマー、１１０・・・ナップウォーマー本体、１１０ａ・・・バンドフック、１１０ｂ・・・バンドストッパ、１１０ｃ・・・裾部、１１０ｄ・・・溝部、１１０ｅ・・・通電ランプ、１１０ｆ・・・天面、１１１・・・ヒータ、１１２・・・スペーサ、１１３・・・アルミプレート、１１４・・・下面筐体、１１５・・・断熱材、１１６・・・電源プラグ、１１７・・・温度ヒューズ、１１８・・・ウエットティッシュ用貫通孔、１１８ａ・・・開口部、１１８ｂ・・・傾斜面、１１９・・・本体側係止片、１２０・・・ナップウォーマー蓋部、１２１・・・蓋側凸部、１２１ａ・・・先端部、１２１ｂ・・・蓋側傾斜面、１２２・・・蓋側凹部、１２３ａ、１２３ｂ・・・係合凸部、１２４・・・蓋側係止片、１２５・・・外形リブ、１２６・・・密閉リブ、１３０・・・ナップウォーマー下板部、１３１・・・縦リブ、１３２・・・横リブ、１３３・・・中央リブ、１４０・・・連結バンド部、１４１・・・操作用リング、１４２・・・バンド本体、１５０・・・開放ボタン、２００・・・ウエットティッシュ詰替容器、２０１・・・容器体、２０１ａ・・・開口部形成面、２０２・・・詰替容器蓋、２０２ａ・・・突片、２１０・・・取り出し用開口部
【図１】
2004041496.tif 000003
【図２】
2004041496.tif 000004
【図３】
2004041496.tif 000005
【図４】
2004041496.tif 000006
【図５】
2004041496.tif 000007
【図６】
2004041496.tif 000008
【図７】
2004041496.tif 000009
【図８】
2004041496.tif 000010
【図９】
2004041496.tif 000011
【図１０】
2004041496.tif 000012
【図１１】
2004041496.tif 000013
【図１２】
2004041496.tif 000014
【図１３】
2004041496.tif 000015
【図１４】
2004041496.tif 000016
【図１５】
2004041496.tif 000017
【図１６】
2004041496.tif 000018
【図１７】
2004041496.tif 000019
【図１８】
2004041496.tif 000020